(57)【要約】    【課題】  ミスト流量が少ない噴出部でも給湯装置から噴出部に湯が供給されて温水ミストを可能とするミストサウナ機能付き給湯装置を提供する。    【解決手段】  給湯装置５からの湯を浴室１に供給する給湯配管９の途中に、電磁弁１２と、給湯装置５からの湯を加圧する電磁ポンプ１３と、湯の流量を調整する流量調整弁１４とを備えるミスト発生装置１１を設け、浴室１に電磁ポンプにより加圧された湯を浴室内に噴霧する噴出部１７を設けて、流量調整弁１４の流量を、給湯装置５の最低作動水量以上に調整するミストサウナ機能付き給湯装置。    【選択図】  図１
2006204419.tif 000002
【特許請求の範囲】
【請求項１】
給湯装置からの湯を浴室に供給する給湯配管の途中に、電磁弁と、上記給湯装置からの湯を加圧する電磁ポンプと、湯の流量を調整する流量調整弁とを備えるミスト発生装置を設け、前記浴室に上記電磁ポンプにより加圧された湯を浴室内に噴霧する噴出部を設けて、前記流量調整弁の流量を前記給湯装置の最低作動水量以上に調整するミストサウナ機能付き給湯装置。
【請求項２】
流量調整弁から分岐して、電磁ポンプにより加圧された湯を浴室内に噴霧する噴出部と、電磁ポンプにより加圧された湯を浴室の洗い場床面に向けて噴出する噴出部とを設けてなる請求項１記載のミストサウナ機能付き給湯装置。
【発明の詳細な説明】
【技術分野】
【０００１】
本発明は、主として家庭用に好適なミストサウナ機能付き給湯装置に関する。
【背景技術】
【０００２】
給湯器からの湯を浴室内へミストやシャワーとして噴出する噴出装置として図２に示すように、給水栓から送られる水を給湯装置５を介して温めて湯にし、給水圧をそのまま利用して給湯装置５からその湯をミストにする噴出部１７に供給すると、給水圧が低い所では噴出部１７から出た湯がミスト状にならない問題があり、給湯装置５から噴出部１７までの配管経路の途中に加圧用の電磁ポンプ１３を設けることにより、湯の供給圧を高くすることで噴出部１７から出る湯をミスト状にする噴出装置が知られている。（特許文献１参照）。
【特許文献１】特公平６−９５９８号公報
【発明の開示】
【発明が解決しようとする課題】
【０００３】
しかしながら、給湯装置５はある一定の水量以上の水が流れないと湯を供給できないシステム（給湯装置の作動条件として、給湯要求流量が給湯機ごとに設定される最低作動水量以上であること）となっているため、噴出部１７から出るミスト状の湯の量が少ない場合は、給湯装置５から噴出部１７に湯は供給されず温水ミストができないという問題がある。
【０００４】
本発明は、ミスト流量が少ない噴出部でも給湯装置から噴出部に湯が供給されて温水ミストを可能とするミストサウナ機能付き給湯装置を提供するものである。
【課題を解決するための手段】
【０００５】
本発明は、次のものに関する。
（１）給湯装置からの湯を浴室に供給する給湯配管の途中に、電磁弁と、上記給湯装置からの湯を加圧する電磁ポンプと、湯の流量を調整する流量調整弁とを備えるミスト発生装置を設け、前記浴室に上記電磁ポンプにより加圧された湯を浴室内に噴霧する噴出部を設けて、前記流量調整弁の流量を前記給湯装置の最低作動水量以上に調整するミストサウナ機能付き給湯装置。
（２）流量調整弁から分岐して、電磁ポンプにより加圧された湯を浴室内に噴霧する噴出部と、電磁ポンプにより加圧された湯を浴室の洗い場床面に向けて噴出する噴出部とを設けてなる上記（１）記載のミストサウナ機能付き給湯装置。
（作用）
【０００６】
給湯装置（給湯器）は湯を供給できる最低の流量が給湯器ごとに設定されている。このため、ミスト発生装置の流量調整弁により、加圧された湯の流量を給湯装置で湯を供給できる最低の流量（給湯装置の最低作動水量）以上となるように調節する。
流量調整弁による流量調節方法としては、先ず浴室内に温水ミストを噴霧する噴出部の方には温水がミスト状になるのに必要な流量を送る。そして、流量調整弁によりドレイン用として浴室の洗い場床面に向けて噴出する噴出部側に給湯装置で湯を供給するのに必要な湯量になる湯を排水するようにする。
【発明の効果】
【０００７】
本発明のミストサウナ機能付き給湯装置によれば、給湯配管の途中に設けたミスト発生装置の流量調整弁により、流量を給湯装置の最低作動水量以上に調整できるので、湯を浴室内に噴霧する噴出部の流量が給湯装置から湯が供給されないような少ない流量の場合にも、噴出部に湯が供給されて温水ミストが可能となる。
【発明を実施するための最良の形態】
【０００８】
流量調整弁から分岐して、加圧された湯を浴室内に噴霧する噴出部と、加圧された湯を浴室の洗い場床面に向けて噴出する噴出部を設けるようにすると、浴室内の天井などに設けた噴出部から浴室空間に温水ミストが噴出されるのに加えて、洗い場床面にも温水ミストを噴出することで浴室内の空気も温められ、効率良くミストサウナを実現できてより好ましい。
【実施例】
【０００９】
以下、図１を参照して本発明によるミストサウナ機能付き給湯装置の実施例を具体的に説明する。
図１は本発明によるミストサウナ機能付き給湯装置の実施例を示す概略構成図で、図において、給湯装置５の本体内には、給水された水を湯に温める熱交換器６と、浴槽水を強制循環させる追焚き用ポンプ７が設けられ、この給湯装置５の本体は浴室１内又は浴室１の外に配設される。給湯装置５の本体に設けられている配管接続部と循環口３を追焚き配管１０で接続し、給湯装置５の本体と浴槽２とを追焚き用ポンプ７を介して湯水が循環できるようにされる。
【００１０】
上記の給湯装置５には給水配管８を介して水が供給され、給水栓より供給された水は、給湯装置５の熱交換器６で温められて湯になり、給湯配管９を介して台所や浴室１内の給湯栓に、また追焚き配管１０を介して浴槽２に供給される。
【００１１】
給湯装置５に接続されている給湯配管９の途中に分岐を設けて、ミスト発生装置１１に接続される。ミスト発生装置１１の本体内には、給湯装置５から供給された湯の通水のＯＮ／ＯＦＦを行う電磁弁１２と、供給された湯をミスト状に噴出するため湯の供給圧を高くする電磁ポンプ１３と、加圧された湯の流量を調整する流量調整弁１４が設けられ、この湯のミスト発生装置１１を、浴室１内又は浴室１外に配設する。また、ミスト発生装置１１内の流量調整弁１４からミスト用配管１５を介して浴室１内に設けた浴室空間に噴出する噴出部１７に、さらに洗い場４の床面に噴出する噴出部１７に接続する。
【００１２】
浴室１内にミストを行う場合、リモコン等により運転スイッチを押すことによりミスト発生装置１１内の電磁弁１２が開状態となる。給水栓から給湯装置５に供給された水は、凝縮熱、電気ヒータやガス燃焼などの何れかの方法で発生した熱を用いて、給湯装置５内の熱交換器６で熱交換を行い温められて湯になる。熱交換器６により温められた湯は、給湯配管９、ミスト発生装置１１内の電磁弁１２を介して電磁ポンプ１３に送られる。
【００１３】
そして、温められた湯は、浴室内に設けた噴出部１７よりミスト状で噴出するために必要な供給圧力まで電磁ポンプ１３により加圧される。電磁ポンプ１３により加圧された湯は、ミスト発生装置１１内の流量調整弁１４に送られ、流量調整弁１４からミスト用配管１５を介して浴室１内に設けた浴室空間に噴出する噴出部１７と洗い場４の床面に噴出する噴出部１７とに湯を供給する。
【００１４】
ここで、給湯装置５は湯を供給できる最低の流量が決まっており、ミスト発生装置１１内に設けた流量調整弁１４により、加圧された湯の流量を給湯装置５でお湯を供給できる最低の流量（最低作動水量）に調節する。流量調整弁１４による流量調節方法は、まず浴室空間に噴出する噴出部１７の方にはミスト状になるのに必要な流量を送る。そして、流量調整弁１４により、ドレイン用として設けた洗い場４の床面に噴出する噴出部１７側に給湯装置５で湯を供給するのに必要な湯量になる湯を排水する。
【００１５】
浴室１空間内では、洗い場４の床面に噴出する噴出部１７からミスト発生装置１１を介した湯が供給され、洗い場４の床面を温めることができる。そして、洗い場４の床面を温めることにより浴室１内の空気も温められ、さらに浴室空間に噴出する噴出部１７から温水ミストが噴出されることにより、効率良くミストサウナを実現できる。
【図面の簡単な説明】
【００１６】
【図１】本発明によるミストサウナ機能付き給湯装置の実施例を示す概略構成図である。
【図２】従来例によるミストサウナ機能付き給湯装置の概略構成図である。
【符号の説明】
【００１７】
１  浴室                        ２  浴槽
３  循環口                      ４  洗い場
５  給湯装置                    ６  熱交換器
７  追焚き用ポンプ              ８  給水配管
９  給湯配管                  １０  追焚き配管
１１  ミスト発生装置            １２  電磁弁
１３  電磁ポンプ                １４  流量調整弁
１５  ミスト用配管              １６  洗い場用配管部
１７  噴出部
【図１】
2006204419.tif 000003
【図２】
2006204419.tif 000004